(57)【特許請求の範囲】
【請求項１】
ボールスタッド（１）の一端に形成された球頭部（２）がソケット（３）内に保持され、前記ボールスタッド（１）の他端の柄（４）はナックル（５）に締め付け固定され、一端大径開口部（８）が前記ソケット（３）の外周面に固定保持され、他端小径開口部（１５）が前記柄（４）に保持されたゴム状弾性材製ボールジョイント用ダストカバー（６）であって、前記ダストカバー（６）の前記小径開口部（１５）が、前記柄（４）外周面と
密封接触している内周リップ部（７）と、前記ナックル（５）の下面と密封接触しているダストシール（１０）と、前記小径開口部（１５）の前記内周リップ部（７）の外径側に埋設した金属材製の補強リング（１１）とよりなるボールジョイント用ダストカバーにおいて、前記補強リング（１１）が、筒状部分（１６）と、前記筒状部分（１６）の前記ナックル（５）側の軸方向端から径方向内方に伸びている内方フランジ（１７）と、前記筒状部分（１６）の軸方向他端から径方向外方に伸びている外方フランジ（１８）とよりなり、前記内方フランジ（１７）は、その上面（１９）が前記ナックル（５）と近接し、その内周端部（２０）が前記ボールスタッド（１）に近接した状態で埋設されていることを特徴とするボールジョイント用ダストカバー。
【請求項２】
前記小径開口部（１５）の前記ナックル（５）側の内周側端部には、環状段部（２１）が設けられていることを特徴とする請求項１記載のボールジョイント用ダストカバー。
【請求項３】
前記内周リップ部（７）が、前記筒状部分（１６）の内周側に位置することを特徴とする請求項１または２記載のボールジョイント用ダストカバー。
【請求項４】
前記ダストリップ（１０）が、前記外方フランジ（１８）の側面の上方に位置することを特徴とする請求項１〜３のいずれか一項に記載のボールジョイント用ダストカバー。
【発明の詳細な説明】
【技術分野】
【０００１】
本発明は、ボールジョイント用ダストカバーに関する。
また、本発明は、自動車懸架装置、操舵装置等に使用されるボールジョイント用ダストカバーに関する。
【背景技術】
【０００２】
従来、ボールジョイント継ぎ手部の防塵、防水を目的としてダストカバーが装着されているボールジョイントとしては第１図に記載のボールジョイント用ダストカバーが知られている。
【０００３】
この種ボールジョイント用ダストカバーのシール構造は、ボールスタッド１の一端に形成された球頭部２がソケット３内に保持されている。
そして、ボールスタッド１の他端の柄４は、ナックル５に締め付け固定されている。
一方、ゴム状弾性材製ダストカバー６の一端が、ソケット３の外周面に固定保持され、他端が柄４に保持された構成となっている。
【０００４】
この種従来のダストカバー６は、図４及び図５に記載の構造を備えている。
すなわち、ダストカバー６の他端には、柄４外周面と密封接触している内周リップ部７００と、ナックル５の下面と密封接触しているダストシール１００とが設けられている。
更に、ダストカバー６の他端には、内周リップ部７００の外径に補強リング１１０が埋設されている。
【０００５】
しかし、補強リング１１０は、内周リップ７００のゴム状弾性を損なわないため、内周リップ７００から径方向外側に離れた位置に埋設せざるを得なかった。
この結果、図５に示す様に、上方に位置する内周リップ部７００の一部が、ナックル５と柄４との間隙Ｘに噛み込まれ、損傷する問題を惹起した。
【０００６】
また、図４及び図５に示した金属補強リングの代わりに、樹脂材製補強リングを使用する態様が提案された（特開２００６−２００６４２号公報）。
しかし、樹脂材製補強リングを使用する態様も、図４及び図５に示した金属補強リングを使用する態様と同様に、内周リップ部の一部が、ナックルと柄との間隙に噛み込まれ、損傷する問題を回避出来なかった。
【０００７】
【特許文献１】特開２００６−２００６４２号公報
【発明の開示】
【発明が解決しようとする課題】
【０００８】
本発明は、このような課題に鑑みてなされたものであり、ダストカバーに内周リップ部及びダストシールを設けた態様においても、内周リップ部の一部が、ナックルと柄との間隙に噛み込まれ、損傷することのないボールジョイント用ダストカバーを提供することを目的とする。
また、本発明は、外部からの土砂等の進入に対し高い耐久性能が期待できるボールジョイント用ダストカバーのシール構造を提供することを目的とする。
【０００９】
また、本発明は、急激な搖動運動が繰り返されてもダストシールの変形・損傷を抑止できるボールジョイント用ダストカバーのシール構造を提供することを目的とする。
【課題を解決するための手段】
【００１０】
本発明のボールジョイント用ダストカバーは、ボールスタッドの一端に形成された球頭部がソケット内に保持され、前記ボールスタッドの他端の柄はナックルに締め付け固定され、一端大径開口部が前記ソケットの外周面に固定保持され、他端小径開口部が前記柄に保持されたゴム状弾性材製ボールジョイント用ダストカバーであって、前記ダストカバーの前記小径開口部が、前記柄外周面と密封接触している内周リップ部と、前記ナックルの下面と密封接触しているダストシールと、前記小径開口部の前記内周リップ部の外径側に埋設した金属材製の補強リングとよりなるボールジョイント用ダストカバーにおいて、前記補強リングが、筒状部分と、前記筒状部分の前記ナックル側の軸方向端から径方向内方に伸びている内方フランジと、前記筒状部分の軸方向他端から径方向外方に伸びている外方フランジとよりなり、前記内方フランジは、その上面が前記ナックルと近接し、その内周端部が前記ボールスタッドに近接した状態で埋設されている構成とした。
【発明の効果】
【００１１】
本発明は、以下に記載されるような効果を奏する。
請求項１記載の発明のボールジョイント用ダストカバーによれば、内周リップ部の一部が、ナックルと柄との間隙に噛み込まれ、損傷する問題を回避出来る。
また、請求項２記載の発明のボールジョイント用ダストカバーによれば、ダストカバーの小径開口部の機械的強度を十分得ることが出来る。
【００１２】
更に、請求項３記載の発明のボールジョイント用ダストカバーによれば、内周リップ部の一部が、ナックルと柄との間隙に噛み込まれ、損傷する問題を確実に防止できる。
更に、請求項４記載の発明のボールジョイント用ダストカバーによれば、内周リップ部の一部が、ナックルと柄との間隙に噛み込まれ、損傷する問題をより確実に防止できる。
【００１３】
更に、請求項５記載の発明のボールジョイント用ダストカバーによれば、内周リップ部のゴム状弾性を損なうことがないため、グリースの漏洩を確実に防止できる。
更に、請求項６記載の発明のボールジョイント用ダストカバーによれば、ダストシールのゴム状弾性を損なうことがないため、ダストの侵入をより確実に阻止できる。
【発明を実施するための最良の形態】
【００１４】
以下、本発明を実施するための最良の形態について説明する。
本発明に係るボールジョイント用ダストカバーのシール構造は、ボールスタッド１の一端に形成された球頭部２がソケット３内に保持されている。
そして、ボールスタッド１の他端の柄４は、ナックル５に締め付け固定されている。
【００１５】
一方、ゴム状弾性材製ダストカバー６の一端側の大径開口部８が、ソケット３の外周面にスナップリング２２により固定保持され、他端側の小径開口部１５が柄４に保持された構成となっている。
このダストカバー６の小径開口部１５には、柄４外周面と密封接触している内周リップ部７と、連結棒５の下面と密封接触しているダストシール１０とが設けられている。
【００１６】
更に、ダストカバー６の小径開口部１５には、内周リップ部７の外径側に補強リング１１が埋設されている。
この補強リング１１は、筒状部分１６と、この筒状部分１６のナックル５側の軸方向端から径方向内方に伸びている内方フランジ１７と、この筒状部分１６の軸方向他端から径方向外方に伸びている外方フランジ１８とより構成されている。
そして、この補強リング１１は、金属材からプレス成形により製作される。
【００１７】
また、内方フランジ１７は、その上面１９がナックル５と近接し、その内周端部２０がボールスタッド１に近接した状態で埋設されている。
このことにより、内周リップ部７が、ナックル５と柄４との間隙Xに噛み込まれ、損傷する問題を確実に回避出来る。
【００１８】
また小径開口部１５のナックル５側の内周側端部には、環状段部２１が設けられている。
このことにより、内周リップ部７が、ナックル５と柄４との間隙Xに噛み込まれ、損傷する問題をより確実に回避出来る。
また、内周リップ部７が、筒状部分１６の内周側に位置する態様としているため、内周リップ部７のゴム状弾性が損なわれることがなく、グリースの漏洩を確実に防止できる。
【００１９】
更に、ダストリップ１０が、外方フランジ１８の側面の上方に位置する構成としているため、ダストリップ１０のゴム状弾性が損なわれることがなく、ダストの侵入をより確実に阻止できる。
【００２０】
以上のことから、本発明を実施するための最良の形態によれば、長期間安定したシール機能が発揮でき、結果として、長時間の使用に耐えうるボールジョイント用ダストカバーのシール構造とすることができる。
【００２１】
また、本発明は上述の発明を実施するための最良の形態に限らず本発明の要旨を逸脱することなくその他種々の構成を採り得ることはもちろんである。
【図面の簡単な説明】
【００２２】
【図１】ボールジョイント用ダストカバーのシール構造にかかる発明の実施の形態を示す断面である。
【図２】本発明に係るボールジョイント用ダストカバーの断面図である。
【図３】図２のダストカバーを装着した状態を示す部分断面図である。
【図４】従来技術に係るボールジョイント用ダストカバーの断面図である。
【図５】図４のダストカバーを装着した状態を示す部分断面図である。
【符号の説明】
【００２３】
１    ボールスタット
２    球頭部
３    ソケット
４    柄
５    ナックル
６    ダストカバー
７    内周リップ部
８    大径開口部
１０  ダストシール
１１  補強リング
１５  小径開口部
１６  筒状部分
１７  内方フランジ
１８  外方フランジ
１９  上面
２０  内周端部
２１  段部
【図１】
0005057219.tif 000002
【図２】
0005057219.tif 000003
【図３】
0005057219.tif 000004
【図４】
0005057219.tif 000005
【図５】
0005057219.tif 000006